(57)【要約】【課題】  水栓装置から吐水させているとき、押し釦を誤って操作してしまった場合等においても、意図しない吐水口からの吐水を確実に防止することができる水栓装置を提供する。【解決手段】  本発明は、開閉弁の開閉により止水状態と吐水状態を切り替える水栓装置（１０１）であって、水栓本体（１０２）と、この水栓本体に取り付けられる少なくとも２つの開閉弁（１３０、１３２）と、水栓本体に各開閉弁に対応して取り付けられ、押圧操作するごとに開閉弁を閉じて止水状態とすると共に開閉弁を開いて吐水状態とする少なくとも２つの押し釦（１０８、１１０）と、これらの押し釦のうちの１つの押し釦を押圧して対応した開閉弁を吐水状態としたとき他の押し釦に対応した開閉弁を止水状態に保持するロック機構（１４２）と、を有することを特徴としている。【選択図】      図３
2005179915.tif 000002
【特許請求の範囲】
【請求項１】
開閉弁の開閉により止水状態と吐水状態を切り替える水栓装置であって、
水栓本体と、
この水栓本体に取り付けられる少なくとも２つの開閉弁と、
上記水栓本体に上記各開閉弁に対応して取り付けられ、押圧操作するごとに開閉弁を閉じて止水状態とすると共に開閉弁を開いて吐水状態とする少なくとも２つの押し釦と、
これらの押し釦のうちの１つの押し釦を押圧して対応した開閉弁を吐水状態としたとき他の押し釦に対応した開閉弁の止水状態を保持するロック機構と、
を有することを特徴とする水栓装置。
【請求項２】
上記ロック機構は、上記押し釦のうちの１つの押し釦を押圧したとき第１の位置から第２の位置に移動されることによって他の押し釦を操作できないようにする係止部材を有する請求項１記載の水栓装置。
【請求項３】
上記ロック機構は、さらに、上記係止部材を移動させるための付勢力を上記係止部材に作用させる付勢手段を有し、上記押し釦を押圧操作することにより、上記付勢手段の付勢力に抗して上記係止部材が移動される請求項２記載の水栓装置。
【請求項４】
上記押し釦は、さらに、上記係止部材と係合する係合部を有し、上記押し釦に対応する開閉弁が止水状態にあるとき、上記係止部材は上記係合部と係合して第１の位置に保持され、上記押し釦を操作して対応する開閉弁を止水状態から吐水状態にすると、上記係止部材は上記付勢手段の付勢力により第２の位置に移動され、上記押し釦を操作して対応する開閉弁を吐水状態から止水状態にすると、上記係合部は上記付勢手段の付勢力に抗して上記係止部材を第１の位置に移動させる請求項３記載の水栓装置。
【請求項５】
上記水栓本体には、シャワーから吐水させるためのシャワー用の開閉弁と、カランから吐水させるためのカラン用の開閉弁が取付けられ、上記ロック機構は、カラン用の開閉弁が吐水状態にあるとき、上記シャワー用の開閉弁に対応した押し釦をロックしてシャワー用の開閉弁を止水状態に保持する請求項１乃至４の何れか１項に記載の水栓装置。
【請求項６】
上記ロック機構は、さらに、シャワー用の開閉弁が吐水状態にあるとき、上記カラン用の開閉弁に対応した押し釦をロックしてカラン用の開閉弁を止水状態に保持する請求項５記載の水栓装置。
【発明の詳細な説明】
【技術分野】
【０００１】
本発明は、水栓装置に係わり、特に、開閉弁の開閉により止水状態と吐水状態を切り替える水栓装置に関する。
【背景技術】
【０００２】
従来から、押し釦を操作することにより、弁体の開閉を止水状態と吐水状態の２状態に切り替え制御するようにした水栓装置が知られている。
例えば、特開２００１−３０４４４３号公報（特許文献１）には、押し釦によってパイロット弁を操作し、これにより背圧室の圧力を高めて主弁を閉鎖する機構のパイロット弁式開閉弁を使用した水栓器具（水栓装置）が記載されている。このような水栓器具においては、押し釦を１回押圧するごとに吐水状態と止水状態が切り替わる。
【０００３】
【特許文献１】特開２００１−３０４４４３号公報
【発明の開示】
【発明が解決しようとする課題】
【０００４】
上述した特許文献１のように、押し釦により開閉弁を開閉操作するような水栓装置において、例えば、シャワー用とカラン用の２つの開閉弁を設けて止水状態と吐水状態を切り替え制御したとすると、シャワー及びカランから同時に吐水させることが可能になる。
【０００５】
しかしながら、このような水栓装置では、カランからの吐水中にカラン用の押し釦をもう一度押して止水状態に切り替えようとしたとき、誤ってシャワー用の押し釦を押してしまうと、シャワーからも吐水されてしまうので、使用者はシャワーからの吐水を不意に被ってしまうという問題がある。これは、カランから高温の湯を吐水させていた場合、特に危険である。また、使用者の誤操作ばかりでなく、地震等により落下物があり、その落下物により押し釦が自動的に作動してしまい、意図していない方の吐水口から吐水される場合もあり、このような状況でも押し釦が作動しなようにする必要がある。
【０００６】
そこで、本発明は、従来技術の問題点を解決するためになされたものであり、水栓装置から吐水させているとき、押し釦を誤って操作してしまった場合等においても、使用者が吐水を被ってしまう等の不都合を確実に防止することができる水栓装置を提供することを目的としている。
【課題を解決するための手段】
【０００７】
この目的を達成するために、本発明は、開閉弁の開閉により止水状態と吐水状態を切り替える水栓装置であって、水栓本体と、この水栓本体に取り付けられる少なくとも２つの開閉弁と、水栓本体に各開閉弁に対応して取り付けられ、押圧操作するごとに開閉弁を閉じて止水状態とすると共に開閉弁を開いて吐水状態とする少なくとも２つの押し釦と、これらの押し釦のうちの１つの押し釦を押圧して対応した開閉弁を吐水状態としたとき他の押し釦に対応した開閉弁の止水状態を保持するロック機構と、を有することを特徴としている。
【０００８】
このように構成された本発明においては、水栓本体に取付けられた押し釦のうちの１つを押圧すると、その釦に対応した開閉弁が開状態となり、吐水される。また、このとき、ロック機構は、押圧した押し釦以外の押し釦に対応した開閉弁を止水状態に保持して、吐水されないようにする。
このように構成された本発明によれば、吐水状態になっている開閉弁を止水状態に切り替えようとして、誤って他の開閉弁に対応した押し釦を押してしまい、意図しない吐水口から不意に吐水されるという不都合等を回避することができる。
【０００９】
本発明において、好ましくは、ロック機構は、押し釦のうちの１つの押し釦を押圧したとき第１の位置から第２の位置に移動されることによって他の押し釦を操作できないようにする係止部材を有する。
このように構成された本発明においては、或る１つの押し釦を押すと、係止部材が第１の位置から第２の位置に移動される。係止部材が第２の位置にあると、他の押し釦がロックされ、操作できなくなる。
このように構成された本発明によれば、単純な機構で他の釦をロックすることができる。
【００１０】
また、本発明において、好ましくは、ロック機構は、さらに、係止部材を移動させるための付勢力を係止部材に作用させる付勢手段を有し、押し釦を押圧操作することにより、付勢手段の付勢力に抗して係止部材が移動される。
このように構成された本発明においては、係止部材は付勢手段による付勢力によって押される方向に移動され、或いは、押し釦を押圧する力によって付勢力の方向とは逆の方向に移動されて、第１の位置と第２の位置の間で往復する。
このように構成された本発明によれば、押し釦の操作のみで、係止部材を第１の位置と第２の位置の間で移動させ、ロック及びロック解除の切換を行うことができる。
【００１１】
さらに、本発明において、好ましくは、押し釦は、さらに、係止部材と係合する係合部を有し、押し釦に対応する開閉弁が止水状態にあるとき、係止部材は係合部と係合して第１の位置に保持され、押し釦を操作して対応する開閉弁を止水状態から吐水状態にすると、係止部材は付勢手段の付勢力により第２の位置に移動され、押し釦を操作して対応する開閉弁を吐水状態から止水状態にすると、係合部は付勢手段の付勢力に抗して係止部材を第１の位置に移動させる。
【００１２】
また、本発明において、好ましくは、水栓本体には、シャワーから吐水させるためのシャワー用の開閉弁と、カランから吐水させるためのカラン用の開閉弁が取付けられ、ロック機構は、カラン用の開閉弁が吐水状態にあるとき、シャワー用の開閉弁に対応した押し釦をロックしてシャワー用の開閉弁を止水状態に保持する。
このように構成された本発明においては、カラン用の開閉弁が吐水状態にあると、ロック機構は、シャワー用の開閉弁に対応した押し釦をロックする。
このように構成された本発明によれば、カランからの吐水時に誤ってシャワー用の押し釦に触れてしまった場合でも、シャワー用の押し釦はロックされているので、シャワーから不意に吐水されることはない。
【００１３】
さらに、本発明において、好ましくは、ロック機構は、さらに、シャワー用の開閉弁が吐水状態にあるとき、カラン用の開閉弁に対応した押し釦をロックしてカラン用の開閉弁を止水状態に保持する。
このように構成された本発明によれば、シャワーからの吐水時に誤ってカラン用の押し釦に触れてしまった場合でも、カラン用の押し釦はロックされているので、カランから不意に吐水されることはない。
【発明の効果】
【００１４】
本発明の水栓装置によれば、水栓装置から吐水させているとき、押し釦を誤って操作してしまった場合等においても、使用者が吐水を被ってしまう等の不都合を確実に防止することができる。
【発明を実施するための最良の形態】
【００１５】
以下に添付図面を参照して本発明の実施形態を説明する。
先ず、図１乃至図５により、本発明の実施形態の水栓装置である湯水混合水栓の基本構成を説明する。図１は、本発明の実施形態による湯水混合水栓を示す全体斜視図であり、図２は、図１に示された湯水混合水栓の平面図であり、図３は、図１に示す湯水混合水栓の部品を展開して示す展開図であり、図４は、本発明の実施形態の水栓本体を示す平面図であり、図５は図４のＡ−Ａ線、Ｂ−Ｂ線及びＣ−Ｃ線に沿って見た断面図である。
【００１６】
図１及び図２に示すように、符号１０１は、本実施形態による湯水混合水栓を示し、この湯水混合水栓１０１は、湯水混合水栓１０１の設置面である壁面から突出して設けられている。この湯水混合水栓１０１は、水栓本体１０２を備え、この水栓本体１０２に、温度調整用ダイヤル１０４及び押ボタンユニット１０６が取り付けられている。この押ボタンユニット１０６は、カラン吐水用のカラン用押し釦１０８、シャワー吐水用のシャワー用押し釦１１０、及び、これらの押し釦１０８，１１０が取り付けられるベースプレート１１２から構成されている。
【００１７】
温度調整用ダイヤル１０４により所望の水温が設定され、湯水の混合比が調整されて、適温の吐水がなされる。また、カラン用押し釦１０８を操作することでカランから吐水され、シャワー吐水用押し釦１１０を操作することでシャワーからシャワー吐水がなされる。
【００１８】
ここで、カラン用押し釦１０８及びシャワー用押し釦１１０のそれぞれ操作面を水栓本体１０２の表面とほぼ同一面上に設けることにより、操作性を向上させている。
カラン用押し釦１０８の取付け位置の前方下面側には、カラン吐水口１１６が設けられ、また、シャワー用押し釦１１０の取付け位置の背面側には、シャワー吐水口１１８（図２参照）が設けられている。カラン吐水口１１６には、カラン吐水管１２０が接続され、また、シャワー吐水口１１８には図示しないシャワーヘッドに連通したシャワーホース１２２が接続されている。
【００１９】
使用者は、温度調整用ダイヤル１０４により所望の温度を設定するとともに、カラン吐水を得たい場合はカラン用押し釦１０８を、シャワー吐水を得たい場合はシャワー用押し釦１１０を押すことにより、直ちに、所望の温度の混合水の吐水を得ることができる。そして、各押し釦１０８、１１０を再度押すと、止水されるようになっている。
【００２０】
本実施形態によれば、温度調整用ダイヤル１０４、カラン用押し釦１０８及びシャワー用押し釦１１０の順番で、水栓本体１０２上に配置され、さらに、カラン用押し釦１０８の位置及びカラン吐水口１１６の位置が上方から見てほぼ一致するようになっているので、使用者の使い勝手の良いものとなる。
【００２１】
次に、湯水混合水栓１０１内における湯水の流れを説明すると、先ず、給水管、給湯管から湯水混合水栓１０２内に流入した湯水は、湯用、水用それぞれに設けられた止水栓により適当な流量に絞られ、湯用、水用それぞれに設けられたフィルターおよび逆止弁を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁ユニット（パイロット式開閉弁装置）１３０，１３２を経て、カランおよびシャワーヘッドから吐水される。
【００２２】
図３に示すように、開閉弁ユニット１３０，１３２は、それぞれ、開閉弁ユニット取付用ナット１３４により、水栓本体１０２に固定されるようになっている。ここで、開閉弁ユニット１３０，１３２の詳細構造は、図２２乃至図２６により後述する。
また、押ボタンユニット１０６も、固定用ビス１３６により、水栓本体１０２に固定されるようになっている。
【００２３】
このように、本実施形態では、押し釦１０８，１１０を押ボタンユニット１０６としてユニット化しているので、押ボタンユニット１０６を単に水栓本体１０２に取り付ければ良く、押し釦１０８，１１０を水栓本体１０２に組み付ける際の組立作業性が向上する。
【００２４】
また、開閉弁ユニット１３０，１３２をメンテナンスのために取り出すときも、押ボタンユニット１０６を水栓本体１０２から取り外すだけで、開閉弁ユニット１３０，１３２を水栓本体１０２から極めて簡単に取り外すことができるので、メンテナンス性も向上する。
【００２５】
ここで、図５（ａ）は、図４に示す水栓本体をＡ−Ａ線に沿って見た断面図であり、図５（ｂ）は水栓本体をＢ−Ｂ線に沿って見た断面図であり、図５（ｃ）は水栓本体をＣ−Ｃ線に沿って見た断面図である。
図４及び図５に示すように、水栓本体１０２には、その背部から、湯及び水が供給されるが、その前方側では、ほぼ水及び温度調整された水（温調水）のみが流れるようになっている。そのため、使用者が水栓本体１０２に触れても火傷する心配がないので、断熱カバー等を設ける必要がない。
【００２６】
次に、図６乃至図１１により、押ボタンユニット１０６の詳細構造を説明する。図６は押ボタンユニット１０６の部品を展開して示す展開図、図７は押し釦１０８（１１０）を裏側から見た斜視図、図８は押ボタンユニット１０６の正面図、図９は図８のＤ−Ｄ線に沿って見た断面図、図１０はロックされていない時に使用者が押し釦１０８（１１０）を操作するときの押し釦の各レベルを示す湯水混合水栓の部分断面図、図１１は止水時の押し釦の状態（図１１（ａ））と吐水時の押し釦の状態（図１１（ｂ））を示す側面図である。
【００２７】
図６に示すように、押ボタンユニット１０６は、上述したように、ベースプレート１１２と、このベースプレート１１２に取り付けられるカラン用押し釦１０８及びシャワー用押し釦１１０を備えている。
また、ベースプレート１１２は、カラン用押し釦１０８及びシャワー用押し釦１１０の間にこれらの押し釦を仕切る仕切り部１３８を一体的に備えている。これにより、使用者が、カラン用押し釦１０８及びシャワー用押し釦１１０を操作するときの誤操作を簡易な構造により防止することができる。
【００２８】
さらに、押ボタンユニット１０６は、これらの押し釦１０８，１１０をベースプレート１１２に取り付けたとき、押し釦１０８，１１０をベースプレート１１２に押し付けるためのねじりばね１４０、カランからの吐水時に押し釦１１０を操作しても、止水状態を保持してシャワーから吐水しないようにするための係止部材１４２、及び、この係止部材１４２に付勢力を作用させる付勢手段であるコイルばね１４３を備えている。
【００２９】
次に、図７に示すように、押し釦１０８（１１０）は、その一端側に一対の支持軸１４４（１４４ａ，１４４ｂ）が設けられ、この支持軸１４４のうちの長い方の支持軸１４４ａには、ねじりばね１４０が取り付けられている（図９参照）。また、押し釦１０８（１１０）の裏面側には、開閉弁ユニット１３０（１３２）の操作部３６（図２３参照）と当接して使用者の押圧力を伝達する操作用突起１４６が一体的に設けられている。
【００３０】
図９に示すように、取付時には、先ず、押し釦１０８（１１０）の支持軸１４４ａに、ねじりばね１４０を装着し、次に、ベースプレート１１２に取り付ける。具体的には、シャワー用押し釦１０８の支持軸１４４ａは、ベースプレート１１２の取付用溝１４８を形成する突起１５０に当接し、弾性変形して内側にたわみ、突起１５０を乗り越えて、取付用溝１４８内に回動可能に取り付けられる。
【００３１】
図１０（ａ）は、止水時（閉状態）の押し釦の状態を示しており、このとき、押し釦１０８（１１０）の上面と、水栓本体１０２の上面（表面）は同じレベルとなっている。この止水状態（閉状態）時、開閉弁ユニット１３０（１３２）において、押し釦１０８（１１０）の裏面側（下面側）の操作用突起１４６に接触する操作部３６（図２３参照）の位置は、パイロット弁切替保持機構（ハートカム機構）６２（図２３参照）により、レベルＬ０となっている。
次に、止水状態から吐水状態に切り替えるときは、図１０（ｂ）に示すように、押し釦１０８（１１０）は、パイロット弁切替保持機構（ハートカム機構）６２が解除されるため、一旦、最下方位置まで下がる。
【００３２】
次に、図１０（ｂ）の状態から吐水操作を終了したときは、図１０（ｃ）に示す状態となり、このとき、押し釦１０８（１１０）の上面が、水栓本体１０２よりｈ１だけ高い位置となっている。具体的には、この吐水状態時、開閉弁ユニット１３０（１３２）において、押し釦１０８（１１０）の操作用突起１４６に接触する操作部３６の位置は、パイロット弁切替保持機構６２により、レベルＬ１となっている。このレベルＬ１の位置は、レベルＬ０よりも、ｈ１だけ、高い位置となっており、その結果、押し釦１０８（１１０）が、水栓本体１０３の表面よりも、上方に位置するようになっている。
【００３３】
図１１（ａ）に示すように、止水状態のときは、押し釦１０８（１１０）は、押し釦１０８（１１０）とベースプレート１１２との間で作用するねじりばね１４０による比較的に小さな付勢力により、または、付勢力がほぼゼロの状態で、開閉弁ユニット１３０（１３２）の操作部３６に対して、下方に押し付けられている。また、図１１（ｂ）に示すように、吐水状態のときは、押し釦１０８（１１０）は、ねじりばね１４０による比較的に大きな付勢力により、下方に押し付けられている。
このため、使用者が、止水状態から吐水状態とするための吐水操作をした時、押し釦１０８（１１０）は、ねじりばね１４０により、ベースプレート１１２、即ち、下方に押し付けられるので、釦自体が振動する（暴れる）ことを防止することができる。
【００３４】
次に、図１２乃至図１６により、係止部材１４２の取付方法を説明する。図１２は、ベースプレート１１２を図６のＦ方向から見た図であり、図１３は、図１２のＧ−Ｇ線に沿って見た断面図であり、図１４は、係止部材１４２を示す（ａ）正面図及び（ｂ）平面図であり、図１５は、図１４（ａ）の側面図であり、図１６は、係止部材１４２が取付けられた状態を示す押しボタンユニット１０６の断面図である。
【００３５】
先ず、図１２及び図１３に示すように、ベースプレート１１２は、その中央部の底面に中央底面部１７２を有し、両側の底面の他の底面部１７４よりも高く形成されており、さらに、中央底面部１７２には、下方に突出する突起１７６が設けられている。
【００３６】
次に、図１４及び図１５に示されているように、係止部材１４２は、その下部に、係止片１７８を備え、この係止片１７８により、係止口部１８０を形成している。また、係止片１７８の上面側には段差１８２が形成されている。さらに、図１４に示すように、係止部材１４２の右側端部には２つのロック用ツメ部１５２が形成され、左側端部には２つの係合部１５３が形成されている。係合部１５３は、幅の広い基部１５３ａと、幅の狭い先端部１５３ｃと、これらの間に延びる傾斜面１５３ｂと、を有する。なお、本実施形態において、係止部材１４２及び押し釦１０８及び１１０に形成されたロック用リブ１５４は、ロック機構を構成する。
【００３７】
次に、係止部材１４２をベースプレート１１２に取付けるときは、図１６に示すように、先ず、係止部材１４２の係止口部１８０に、ベースプレート１１２の中央底面部１７２を挿入する。次に、係止部材１４２の係止片１７８がベースプレート１１２の突起１７６を乗り越え、突起１７６が段差１８２に収まり、その結果、係止部材１４２はベースプレート１１２に取付けられる。
【００３８】
次に、図６乃至図８及び図１７乃至図２１により、係止部材１４２の動作を説明する。図１７は図８のＥ‐Ｅ線に沿って見た押し釦１１０のロック解除時（図１７（ａ））及びロック時（図１７（ｂ））を示す部分断面図であり、図１８は本実施形態の押ボタンユニットにおける係止部材１４２のロック解除時（図１８（ａ））及びロック時（図１８（ｂ））の位置を示す正面図であり、図１９は本実施形態の押ボタンユニットにおける係止部材１４２のロック解除時（図１９（ａ））及びロック時（図１９（ｂ））の位置を示す斜視図である。
【００３９】
本実施形態による係止部材１４２は、図６に示すように、一体的に形成された２つのロック用ツメ部１５２と、２つの係合部１５３を備えている。また、押し釦１０８（１１０）は、図７に示すように、それぞれ、一体的に形成された２つのロック用リブ１５４を備えている。この係止部材１４２は、図８に示すように、カラン用の押し釦１０８を使用者が操作することにより、ベースプレート１１２に沿って左方向Ｌ及び右方向Ｒに移動可能であり（図１８及び図１９参照）、カラン用押し釦１０８を吐水状態にすることによりＲ方向に移動したとき、シャワー用押し釦１１０がロック状態となり、Ｌ方向に移動したとき、シャワー用押し釦１１０がロック解除状態となる。
【００４０】
図１９に示すように、係止部材１４２は、コイルばね１４３の付勢力により、Ｒ方向（図８及び１８における右方向、図１９における左方向）に付勢されている。図１８（ａ）及び図１９（ａ）に示すように、カラン用押し釦１０８が止水位置にある場合には、係合部１５３の基部１５３ａがカラン用押し釦１０８に形成されたロック用リブ１５４と係合するので、係止部材１４２は、シャワー用押し釦１１０をロックしない第１の位置にある。係止部材１４２が第１の位置にある状態では、係止部材１４２のロック用ツメ部１５２とシャワー用押し釦１１０のロック用リブ１５４は係合しない位置にあるので、シャワー用押し釦１１０を操作することができる。また、この状態では、係合部１５３の基部は、カラン用押し釦１０８のロック用リブ１５４と係合しているが、カラン用押し釦１０８の上下方向の移動は妨げられないので、カラン用押し釦１０８を操作することもできる。
【００４１】
次に、カラン用押し釦１０８を操作してカランから吐水させると、カラン用押し釦１０８は、図１８（ｂ）及び図１９（ｂ）に示すように、上方に移動する。カラン用押し釦１０８が上方に移動すると、コイルばね１４３の付勢力により係止部材１４２がＲ方向（図８及び１８における右方向、図１９における左方向）に移動すると共に、係合部１５３の先端部１５３ｃがカラン用押し釦１０８に形成されたロック用リブ１５４と係合するようになる。係止部材１４２がＲ方向に移動して第２の位置に移ると、係止部材１４２のロック用ツメ部１５２とシャワー用押し釦１１０のロック用リブ１５４が整合して、シャワー用押し釦１１０を押すことができなくなる。このため、カランから吐水されているときには、シャワー用押し釦１１０を操作して、シャワーから吐水させることができなくなる。
【００４２】
さらに、図１８（ｂ）及び図１９（ｂ）に示す状態から、カラン用押し釦１０８を押すと、カラン用押し釦１０８のリブ１５４が係合部１５３の傾斜面１５３ｂを押圧し、この傾斜面１５３ｂのカム作用により、係止部材１４２が、コイルばね１４３の付勢力に抗してＬ方向に移動する。カラン用押し釦１０８が下方に押し込まれ、止水状態の位置に復帰すると、係合部１５３の基部１５３ａがカラン用押し釦１０８のリブ１５４と係合するようになり、係止部材１４２は図１８（ａ）及び図１９（ａ）に示す第１の位置に復帰する。
【００４３】
このように、本実施形態の水栓装置１０１によれば、カラン用の押し釦１０８が吐水状態にあるときは、係止部材１４２が第２の位置に移動するので、シャワー用の押し釦１１０はロックされ、押圧操作することができなくなり、カランを止水状態に切り替えようとして誤ってシャワー用の押し釦１１０に触れてしまった場合にも、シャワーから吐水されることがない。これにより、カランからの吐水時において、誤操作により、又は、地震等による落下物により、シャワー用の押し釦が作動して、シャワーから不意に吐水されるのを確実に防止することができる。また、このとき、温度が高温にセットされていると、火傷を負うこともあるが、これも確実に防止できる。
【００４４】
次に、図２０及び図２１を参照して、ロック機構の変形例を説明する。この変形例は、２つの係止部材を備えており、カランから吐水されているときにシャワー用の押し釦１１０をロックするのに加えて、シャワーから吐水されているときにカラン用の押し釦１０８をロックする点が上述した実施形態とは異なる。図２０は、本変形例における押ボタンユニットの部品を展開して示す展開図であり、図２１は、押ボタンユニットの作用を示す斜視図である。
【００４５】
図２０に示すように、本変形例の押し釦ユニット１６０は、カラン用押し釦１０８と、シャワー用押し釦１１０と、ベースプレート１１２と、シャワー用係止部材１６２と、カラン用係止部材１６６と、を有する。さらに、本変形例の押し釦ユニット１６０は、押し釦１０８、１１０を夫々付勢する２つのねじりばね１４０と、シャワー用係止部材１６２を付勢する付勢手段であるコイルばね１６４と、カラン用係止部材１６６を付勢する付勢手段であるコイルばね１６８と、を有する。
【００４６】
カラン用押し釦１０８には、２つのロック用リブ１５５ａ、１５５ｂが形成され、また、シャワー用押し釦１１０には、２つのロック用リブ１５５ｃ、１５５ｄが形成されている。また、シャワー用係止部材１６２には、図２０における右側の端部にロック用リブ１５５ａと係合する係合部１７２が形成され、また、左側にはロック用リブ１５５ｃと係合するロック用ツメ部１７０が形成されている。カラン用係止部材１６６には、図２０における左側の端部にロック用リブ１５５ｄと係合する係合部１７６が形成され、また、右側にはロック用リブ１５５ｂと係合するロック用ツメ部１７４が形成されている。さらに、各係合部１７２、１７６は、幅が広い基部１７２ａ、１７６ａ、幅が狭い先端部１７２ｃ、１７６ｃ、及び、それらの間に延びる傾斜面１７２ｂ、１７６ｂを夫々有する。また、カラン用係止部材１６６は、コイルばね１６４によりＲ方向に付勢されている。同様に、シャワー用係止部材１６６は、コイルばね１６８によりＬ方向に付勢されている。
【００４７】
次に、図２１を参照して、本変形例の作用を説明する。図２１（ａ）は、カラン用押し釦１０８、シャワー用押し釦１１０とも止水位置にある場合を示している。この状態においては、シャワー用係止部材１６２の係合部１７２の基部１７２ａが、カラン用ボタン１０８のロック用リブ１５５ａと係合しているので、シャワー用係止部材１６２は、コイルばね１６４の付勢に抗してＬ方向に押し付けられた第１の位置にある。一方、カラン用係止部材１６６は、係合部１７６の基部１７６ａが、シャワー用ボタン１１０のロック用リブ１５５ｄと係合しているので、コイルばね１６８の付勢に抗してＲ方向に押し付けられた第１の位置にある。この状態においては、シャワー用係止部材１６２のロック用ツメ部１７０は、シャワー用ボタン１１０のロック用リブ１５５ｃと整合していないので、シャワー用ボタン１１０を押圧操作することができる。一方、カラン用係止部材１６６のロック用ツメ部１７４も、カラン用ボタン１０８のロック用リブ１５５ｂと整合していないので、カラン用ボタン１０８も押圧操作することができる。
【００４８】
図２１（ｂ）は、カラン用押し釦１０８を吐水位置にした場合を示している。この場合においては、カラン用押し釦１０８が上方（図２１における奥の方）に移動するので、カラン用押し釦１０８のロック用リブ１５５ａは、シャワー用係止部材１６２の係合部１７２の先端部１７２ｃと係合するようになる。このため、シャワー用係止部材１６２は、コイルばね１６４の付勢力によりＲ方向に押され、第２の位置に移動する。シャワー用係止部材１６２が第２の位置に移動すると、シャワー用係止部材１６２のロック用ツメ部１７０と、シャワー用押し釦１１０のロック用リブ１５５ｃが整合するので、シャワー用押し釦１１０を押圧操作することができなくなる。図２１（ｂ）の状態において、再びカラン用押し釦１０８を押圧すると、シャワー用係止部材１６２の係合部１７２の傾斜面１７２ｂのカム作用により、シャワー用係止部材１６２はコイルばね１６４の付勢力に抗してＬ方向に押される。シャワー用係止部材１６２がＬ方向に押されて、第１の位置に復帰すると、係合部１７２の基部１７２ａがカラン用押し釦１０８のロック用リブ１５５ａと係合するようになり、図２１（ａ）の状態に戻る。
【００４９】
図２１（ｃ）は、シャワー用押し釦１１０を吐水位置にした場合を示している。この場合においては、シャワー用押し釦１１０が上方（図２１における奥の方）に移動するので、シャワー用押し釦１１０のロック用リブ１５５ｄは、カラン用係止部材１６６の係合部１７６の先端部１７６ｃと係合するようになる。このため、カラン用係止部材１６６は、コイルばね１６８の付勢力によりＬ方向に押され、第２の位置に移動する。カラン用係止部材１６６が第２の位置に移動すると、カラン用係止部材１６６のロック用ツメ部１７４と、カラン用押し釦１０８のロック用リブ１５５ｂが整合するので、カラン用押し釦１０８を押圧操作することができなくなる。図２１（ｃ）の状態において、再びシャワー用押し釦１１０を押圧すると、カラン用係止部材１６６の係合部１７６の傾斜面１７６ｂのカム作用により、カラン用係止部材１６６はコイルばね１６８の付勢力に抗してＲ方向に押される。カラン用係止部材１６６がＲ方向に押されて、第１の位置に復帰すると、係合部１７６の基部１７６ａがシャワー用押し釦１１０のロック用リブ１５５ｄと係合するようになり、図２１（ａ）の状態に戻る。
【００５０】
本変形例によれば、カランから吐水されているときにはシャワー用の押し釦１１０がロックされ、シャワーから吐水されているときにはカラン用の押し釦１０８がロックされるので、シャワーからの吐水を止水状態に切り替えようとして、誤ってカラン用の押し釦に触れてしまった場合にも、カランから不意に吐水されるのを防止することができる。
【００５１】
次に、図２２により、パイロット式開閉弁装置である開閉弁ユニット１３０（１３２）の基本構造を説明する。
図２２に示すように、開閉弁ユニット１３０（１３２）は、使用者がシャワー用の押し釦１０８（１１０）を押すとこの押圧操作により下方に押される操作部３６と、操作部３６にその基端が結合された押し棒３８と、この押し棒３８の先端に設けられたパイロット弁４０とを備えている。ここで、押し棒３８の先端（下端）とパイロット弁４０との間には緩衝手段であるコイルばね４２が設けられている。開閉弁ユニット３２は、更に，パイロット弁４０の下方に、パイロット弁口（圧力開放穴）４４を備えパイロット弁４０がこのパイロット弁口４４に当接及び解離するダイヤフラム式の主弁４６と、この主弁４６の背面に形成され押し棒３８、パイロット弁４０及びコイルばね４２を収納する圧力室４８を形成するためのハウジング５０と、主弁４６の表面が着座及び離座する弁座５２とを備えている。また、ハウジング５０の押し棒３８が挿通される部分には、シール部材５４が設けられている。さらに、主弁４６の外周側には、小穴（一次圧流入口）５６が形成されている。
【００５２】
次に、開閉弁ユニット１３０（１３２）の基本動作を説明する。この開閉弁ユニット１３０（１３２）においては、圧力室４８内に設けられたパイロット弁４０を、主弁４６のパイロット弁口４４に当接及び解離させることで、パイロット弁４０を開閉し、止水と吐水を切り替えるようになっている。
【００５３】
先ず、吐水状態から止水状態に切り替えるときは、押し棒３８によりパイロット弁４０をパイロット弁口４４に当接する方向に押さなければならない。このとき、押し棒３８は、その断面積に相当する面積に作用する水圧により上向きの力を受け、さらに、シール部材５４による摺動摩擦抵抗があり、これらに抗して操作部３６を押す必要があるが、この力（操作力）は小さな値である。
【００５４】
次に、パイロット弁４０が主弁４６のパイロット弁口４４に当接すると、一次側通水路の一次圧の水が小穴５６を通って圧力室４８内に流入し、これに伴い、主弁４６が遅い速度で、弁座５２に向って移動する。これにより、主弁４６が弁座５２に着座し、止水状態に切り替わる。
さらに、この開閉弁ユニット１３０（１３２）では、緩衝手段であるコイルばね４２を、押し棒３８とパイロット弁４０との間、即ち、圧力室４８内に設けたので、このコイルばね４２には、パイロット弁４０がパイロット弁口４４に当接するまでは力は作用せず、さらに、詳細は後述するように、パイロット弁４０がパイロット弁口４４に当接した以降も小さな力を作用させればよい。
【００５５】
また、止水状態から吐水状態に切り替えるときは、操作部３６を押せば、後述するパイロット弁保持切替機構６２及び付勢用ばね６８により、パイロット弁４０が主弁４６のパイロット弁口（圧力開放穴）４４から解離し、それにより、圧力室４８が開放され、主弁４６が弁座５２から離座し、吐水状態となる（図２４参照）。
【００５６】
なお、開閉弁ユニット１３２では、上述したように、主弁４６の移動速度を意図的に小さくしているが、これは、主弁４６の閉止時のウォーターハンマーの発生を抑えるためである。即ち、主弁４６に設けられた小穴５６から圧力室４８に一次側の水が流入することで圧力室４８内が一次圧の水で満たされ、主弁４６が弁座５２の方向に移動するが、小穴５６を通常非常に小さな径としているので、圧力室４８への水の流入速度が抑えられ、これにより、主弁４６の移動速度（閉止速度）を抑え、主弁閉止時のウォーターハンマーの発生を抑えるようにしている。
【００５７】
次に、図２３及び図２４により、開閉弁ユニット（パイロット式開閉弁装置）１３０（１３２）の構造をより具体的に説明する。図２３は開閉弁ユニット（パイロット式開閉弁装置）における止水状態（閉状態）を示す断面図であり、図２４は開閉弁ユニット（パイロット式開閉弁装置）における吐水状態（開状態）を示す断面図である。
【００５８】
先ず、図２３に示すように、開閉弁ユニット１３２は、図２２により既に説明した、操作部３６、押し棒３８、パイロット弁４０、緩衝手段であるコイルばね４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６を備えている。
【００５９】
次に、上述した小穴（一次圧流入口）５６には、クリーニング用のピン５８が挿入されており、小穴５６の一次圧流入口の通水面積を絞っている。これにより、上述したように、一次圧の圧力室への流入速度を抑制することで主弁４６の閉止速度を緩やかにし、閉止時に発生するウォーターハンマーを低減できるようにしている。
【００６０】
圧力室４８を形成するハウジング５０は、主にパイロット弁４０が配置された空間を取り囲む第１ハウジング５０ａと、主弁４６の背面側の空間を取り囲む第２ハウジング５０ｂから構成されている。
【００６１】
また、最外周側には、操作部３６、第１ハウジング５０ａ、第２ハウジング５０ｂ、弁座５２の４つの部品を組み付けることにより、開閉弁ユニット３２を組み立てるための組付ナット６０が配置されている。
【００６２】
開閉弁ユニット１３０（１３２）は、さらに、パイロット弁切替保持機構６２を備えている。このパイロット弁切替保持機構６２は、上述したカラン用押し釦１０８及びシャワー用押し釦１１０に連動しており、これらの押し釦１０８，１１０を押す毎に、即ち、操作部３６が押される毎に、パイロット弁４０の吐水状態位置と止水状態位置の切り替えを繰り返すと共にパイロット弁４０を吐水状態位置及び止水状態位置に保持する機能を有する。
【００６３】
このパイロット弁切替保持機構６２は、一般にノック式ボールペンのノック機構などで使用される機構でもよいが、本実施形態では、図２３に示すように、操作部３６と連動して移動するピン６４と、第１ハウジング５０ａの外周面に形成されピン６４の下方側が弾性変形しながらこれに沿って移動する逆ハート形状のカム溝６６と、止水状態（閉状態）でピン６４を保持する保持用突起６８から形成されたハートカム機構である。
【００６４】
パイロット弁切替保持機構６２がハートカム機構であるので、圧力室４８をシールするシール部材５４に、押し棒３８の往復運動（上下運動）のみが作用し、上述したノック機構のように押し棒３８の回転運動が作用しないため、シール部材５４への負担が少なくなり、高い信頼性が得られる。
【００６５】
また、符号６９は、付勢用ばねであり、この付勢用ばね６９により、止水状態から吐水状態に切替操作する際、即ち、押し釦８，１０が押された際、パイロット弁切替保持機構６２による止水状態位置における保持が解除され、操作部３６が上方に付勢され、パイロット弁４０が弁体４２から解離し、容易に吐水状態に切り替えることができるようになっている。
【００６６】
次に、押し棒３８とパイロット弁４０の結合部について説明する。図２３及び図２４に示すように、押し棒３８の先端（下端）であって圧力室４８の内部には、上述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２を内蔵している。パイロット弁４０の上側には、押し棒３８が摺動可能に挿入される挿入穴４０ｃが形成されている。パイロット弁４０は、弾性変形可能な樹脂材料で作られており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に作用している。
【００６７】
これにより、止水状態から吐水状態に切り替える吐水操作時には、コイルばね４２の付勢力により押し棒３８の先端の大径部３８ａとパイロット弁４０の上側が係合し、それにより、パイロット弁４０は、押し棒３８の動きと連動し、主弁４６に形成されたパイロット弁口４４から離座する（図２４参照）。
【００６８】
吐水状態から止水状態に切り替える止水操作時には、パイロット弁４０が主弁４６に形成されたパイロット弁口４４に当接するとき、押し棒３８の大径部３８ａは、パイロット弁４０の上側から離れて下降するが、押し棒３８のストローク方向の移動距離（変位量）はコイルばね４２により吸収される（図２３参照）。
【００６９】
これにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００７０】
さらに、開閉弁ユニット１３０（１３２）において、押し棒３８には、上述したように、圧力室４８内の水圧により受ける上向きの力（押し棒３８の断面積に相当する面積に作用する水圧）が作用するので、操作部３６における操作力を小さくするためには、押し棒３８の径は、出来る限り小さいのが好ましい。例えば、押し棒３８を、主弁４６のパイロット弁口４４よりも小径に形成するようにしても良い（図示せず）。これにより、高水圧時にも、操作力（押し力）を低くすることができるとともに確実な止水性を確保できる。
【００７１】
さらに、パイロット弁４０は、止水時、つまりパイロット弁４０がパイロット弁口４４に着座しているとき、パイロット弁４０は、一次圧を受け、その結果、パイロット弁４０がパイロット弁口４４へ着座する方向に力が働き、止水機能が確実となる。
さらに、押し棒３８は、ステンレス鋼にて形成されている。このため、押し棒３８を小径とした場合であっても、水中の使用に対して十分な耐食性が得られ、信頼性が向上する。
【００７２】
次に、図２５及び図２６により、上述したパイロット式開閉弁装置（開閉弁ユニット）によれば、緩衝手段であるコイルばねに作用する荷重（ばね荷重）が小さくなり、それにより、ばね定数を小さくでき、その結果、良好な操作感を得ることができ、コンパクト化を図ることができるので、以下その理由を説明する。
ここでは、押し棒３８の直径が２ｍｍ、水圧が０．７５ＭＰａ（水道圧の最大値）、シール部材５４の摺動摩擦抵抗に抗する力が０．６Ｎであるという条件を例として説明する。
【００７３】
図２５は、本実施形態に使用される開閉弁ユニットによる止水操作時（吐水状態から止水状態への切替時）の操作部３６の移動距離（変位量）（ｍｍ）と操作力Ｆ（Ｎ）との関係を示した線図である。図２６は、本実施形態に使用される開閉弁ユニットによる止水操作時の操作部３６の移動距離（変位量）（ｍｍ）とコイルばねに作用するばね荷重（Ｎ）との関係を示した線図である。ここで、ｄ０は止水操作開始時の位置、ｄ１はパイロット弁４０がパイロット弁口４４に当接する位置、ｄ２は操作部３６がパイロット弁切替保持機構６２により移動（変位）可能な最下端の位置を示している。
【００７４】
先ず、本実施形態においては、コイルばね４２は、組付け時にごく小さな荷重（例えば、０．１Ｎ）を作用させた状態でパイロット弁４０の中空部４０ｂに取り付けられている。
次に、ｄ０の位置からｄ１の位置までの間、即ち、パイロット弁４０がパイロット弁口４４に当接するまでは、押し棒３８には、上述した水圧により受ける力２．４Ｎ（＝押し棒の断面積×水圧＝３．１４ｍｍ2 ×０．７５ＭＰａ）及びシール部材５４の摺動摩擦抵抗に抗する力０．６Ｎの合力に釣り合う操作力３Ｎ（＝２．４Ｎ＋０．６Ｎ）が作用している。この結果、図２５に示すように、パイロット弁４０がパイロット弁口４４に当接するまでは、操作力Ｆは、３Ｎとなる。
【００７５】
一方、パイロット弁４０がパイロット弁口４４に当接するまで（ｄ０の位置からｄ１の位置までの間）は、図２６に示すように、コイルばね４２には、荷重は作用していない、即ち、ばね荷重はゼロである。
次に、パイロット弁４０がパイロット弁口４４に当接した以降において、操作力によりコイルばね４２をたわます必要があるが、このコイルばね４２には、パイロット弁４０がパイロット弁口４４に当接するまで、ほとんど荷重が作用していないので、コイルばね４２をたわませるために作用するばね荷重は、極めて小さな荷重（ほぼゼロ）で良い。それゆえ、本実施形態に使用されるパイロット式開閉弁装置では、操作部３６が移動（変位）可能な最下端の位置ｄ２において、ばね荷重が．０．４Ｎ程度の値となるような小さな値のばね定数を設定した。
【００７６】
具体的に説明すると、パイロット弁４０がパイロット弁口４４に当接した以降、即ち、操作部の移動距離がｄ１からｄ２まで変化するときのコイルばね４２のたわみ量（δ）は、４ｍｍである。ここで、組付け時のばね荷重をゼロとした場合、コイルばね４２のばね定数は、０．１Ｎ／ｍｍ（＝０．４Ｎ／４ｍｍ）となり、組付け時のばね荷重を０．１Ｎとした場合には、０．０７５Ｎ／ｍｍ（＝（０．４‐０．１）Ｎ／４ｍｍ）となる。
【００７７】
ここで、本実施形態の開閉弁ユニットにおける緩衝手段であるコイルばねのばね定数の好ましい範囲を説明する。
先ず、本実施形態では、０．０１〜２Ｎ／ｍｍの範囲が好ましく、コイルばねのばね定数をこの範囲に設定することにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００７８】
次に、パイロット弁４０がパイロット弁口４４に当接するまで（ｄ０からｄ１の間）の操作力（３Ｎ）を初期操作力とした場合、パイロット弁４０がパイロット弁口４４に当接した以降に付加される操作力（ばね荷重）が、この初期操作力の値（３Ｎ）以下であれば、止水操作時において、(1) パイロット弁４０がパイロット弁口４４に当接するまでと、(2) パイロット弁４０がパイロット弁口４４に当接した以降の両方において、操作力に差（ムラ）がなくなり、操作感がより好ましいものとなる。この場合には、コイルばねのばね定数を、０．０１〜Ｐ1ｄ2π/（４δ）Ｎ／ｍｍと設定すればよい。ここで、δはコイルばねのたわみ量（ｍｍ）、Ｐ1  は水圧（ＭＰａ）、ｄは押し棒部の直径（ｍｍ）である。
【００７９】
また、上述した場合についてより具体的に説明すると、押し棒の直径が２ｍｍ、水圧が０．７５ＭＰａ（水道圧の最大値）、コイルばね４２のたわみ量が４ｍｍである場合には、コイルばねのばね定数は、０．０１〜０．７５Ｎ／ｍｍ（＝３Ｎ／４ｍｍ）となる。
【００８０】
このため、本実施形態では、コイルばねのばね定数を、０．０１〜０．７５Ｎ／ｍｍの範囲に設定するようにしても良く、それにより、(1) パイロット弁４０がパイロット弁口４４に当接するまでと、(2) パイロット弁４０がパイロット弁口４４に当接した以降の両方において、操作力に差（ムラ）がなくなり、操作感がより好ましいものとなる。
【００８１】
上述した本実施形態におけるコイルばねのばね定数の最少値は、コイルばねのばね定数を小さくするために必要な条件である、コイルばねのばね腺材の径を小さくする、コイルばねの巻数を少なくする、コイルばねの径を増やすという３つの条件に基づいて、０．０１Ｎ／ｍｍに設定した。
【００８２】
このように、本実施形態では、コイルばね４２のばね定数を、小さく設定することができる。
その結果、図２５から明らかであるが、上述したように、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００８３】
さらに、本実施形態によれば、図２６から明らかなように、ばねに作用するばね荷重が小さくなり、良好な操作感を得ることができ、さらに、コンパクト化することができる。
さらに、シャワー用押し釦１０等を強く押してパイロット弁４０をパイロット弁口４４に急速に当接させて弁を閉じる場合、コイルばね４２のばね定数を小さな値に設定し、それにより、ばね荷重を小さくしているので、主弁４６の移動速度を遅くすることができ、その結果、主弁に作用する瞬間的な大きな負荷の発生が防止され、ダイヤフラムの寿命を長くすることができる。
【００８４】
以上、本発明の好ましい実施形態を説明したが、上述した実施形態に種々の変更を加えることができる。特に、上述した実施形態では、水栓装置はシャワー吐水用とカラン吐水用の２つの押し釦を備えていたが、水栓装置は３つ以上の押し釦を備えていても良い。この場合において、押し釦のうちの１つを吐水状態にしたとき、他のすべての押し釦がロックされるように構成しても良いし、他の押し釦のうちの一部がロックされるように構成しても良い。また、上述した実施形態では、水栓装置はシャワーからの吐水とカランからの吐水を切り替えていたが、開閉弁の切換によって吐水させる対象は、浄水器等、任意のものにすることができる。
【図面の簡単な説明】
【００８５】
【図１】本発明の実施形態による湯水混合水栓を示す全体斜視図である。
【図２】図１に示された湯水混合水栓の平面図である。
【図３】図１に示す湯水混合水栓の部品を展開して示す展開図である。
【図４】本発明の実施形態の水栓本体を示す平面図である。
【図５】図４のＡ−Ａ線、Ｂ−Ｂ線及びＣ−Ｃ線に沿って見た断面図である。
【図６】本発明の実施形態による押ボタンユニットの部品を展開して示す展開図である。
【図７】本発明の実施形態による押し釦を裏側から見た斜視図である。
【図８】本発明の実施形態による押ボタンユニットを示す正面図である。
【図９】図８のＤ−Ｄ線に沿って見た断面図である。
【図１０】ロック解除時に使用者が押し釦を操作するときの押し釦の各レベルを示す混合水栓の部分断面図である。
【図１１】本発明の実施形態の押し釦による止水状態（図１１（ａ））と吐水状態（図１１（ｂ））を示す側面図である。
【図１２】本実施形態のベースプレートを図６のＦ方向から見た図である。
【図１３】図１２のＧ−Ｇ線に沿って見た断面図である。
【図１４】本実施形態の係止部材を示す（ａ）正面図及び（ｂ）平面図である。
【図１５】図１４の側面図である。
【図１６】本実施形態における係止部材が取付けられた状態を示す押し釦ユニットの断面図である。
【図１７】図８のＥ‐Ｅ線に沿って見た押ボタンユニット（開閉弁ユニットを含む）のロック解除時（図１７（ａ））及びロック時（図１７（ｂ））を示す部分断面図である。
【図１８】本実施形態による水栓装置の押ボタンユニットにおいて、シャワー用押し釦がロックされていない状態（図１８（ａ））及びロックされた状態（図１８（ｂ））を示す正面図である。
【図１９】本実施形態による水栓装置の押ボタンユニットにおいて、シャワー用押し釦がロックされていない状態（図１９（ａ））及びロックされた状態（図１９（ｂ））を示す背面斜視図である。
【図２０】本実施形態の変形例の押ボタンユニットを展開して示す背面斜視図である。
【図２１（ａ）】本実施形態の変形例の押ボタンユニットのロックされていない状態を示す背面斜視図である。
【図２１（ｂ）】本実施形態の変形例の押ボタンユニットのシャワー用押し釦がロックされた状態を示す背面斜視図である。
【図２１（ｃ）】本実施形態の変形例の押ボタンユニットのカラン用押し釦がロックされた状態を示す背面斜視図である。
【図２２】本発明の実施形態の開閉弁ユニットの基本構造を示す概略図である。
【図２３】開閉弁ユニットにおける止水状態（閉状態）を示す断面図である。
【図２４】開閉弁ユニットにおける吐水状態（開状態）を示す断面図である。
【図２５】本実施形態による止水操作時の操作部の移動距離（変位量）と操作力Ｆとの関係を示した線図である。
【図２６】本実施形態による止水操作時の操作部の移動距離（変位量）とコイルばねに作用するばね荷重（Ｎ）との関係を示した線図である。
【符号の説明】
【００８６】
１０１  湯水混合水栓
１０２  水栓本体
１０６  押ボタンユニット
１０８  カラン用押し釦
１１０  シャワー用押し釦
１１２  ベースプレート
１１６  カラン吐水口
１１８  シャワー吐水口
１２０  カラン吐水管
１３０，１３２  開閉弁ユニット（パイロット式開閉弁装置）
１３４  開閉弁ユニット取付用ナット
１３６  固定用ビス
１３８  仕切り部
１４０  ねじりばね
１４２  係止部材
１４３  コイルばね
１４４  支持軸
１４６  操作用突起
１４８  取付用溝
１５０  突起
１５２  ロック用ツメ部
１５３  係合部
１５４  ロック用リブ
１６０  変形例による押ボタンユニット
１６２  シャワー用係止部材
１６４  コイルばね
１６６  カラン用係止部材
１６８  コイルばね
１７０  ロック用ツメ部
１７２  係合部
１７４  ロック用ツメ部
１７６  係合部
【図１】
2005179915.tif 000003
【図２】
2005179915.tif 000004
【図３】
2005179915.tif 000005
【図４】
2005179915.tif 000006
【図５】
2005179915.tif 000007
【図６】
2005179915.tif 000008
【図７】
2005179915.tif 000009
【図８】
2005179915.tif 000010
【図９】
2005179915.tif 000011
【図１０】
2005179915.tif 000012
【図１１】
2005179915.tif 000013
【図１２】
2005179915.tif 000014
【図１３】
2005179915.tif 000015
【図１４】
2005179915.tif 000016
【図１５】
2005179915.tif 000017
【図１６】
2005179915.tif 000018
【図１７】
2005179915.tif 000019
【図１８】
2005179915.tif 000020
【図１９】
2005179915.tif 000021
【図２０】
2005179915.tif 000022
【図２１（ａ）】
2005179915.tif 000023
【図２１（ｂ）】
2005179915.tif 000024
【図２１（ｃ）】
2005179915.tif 000025
【図２２】
2005179915.tif 000026
【図２３】
2005179915.tif 000027
【図２４】
2005179915.tif 000028
【図２５】
2005179915.tif 000029
【図２６】
2005179915.tif 000030